(57)【特許請求の範囲】
【請求項１】
上下枠と左右縦枠と摺動障子とを備え、召し合わせ位置の下枠凹部に下枠凹部止水ブロックが取付けてあり、摺動障子は、下枠凹部に垂下するスライド片を有し、下枠凹部止水ブロックは、下枠凹部の内壁と密着するスポンジ状の弾性体と、摺動障子のスライド片と摺接するヒレ状の弾性体の二重構造からなることを特徴とする屋外用下枠フラットサッシの下枠凹部止水装置。
【請求項２】
上下枠及び左右の縦枠にて構成され、下枠上面を略フラットに形成し、当該フラット面を戸車を介して、スライド開閉する引き違い障子の内、外障子下框側壁から、内、外障子スライド片を垂下し、内、外障子スライド片がスライドする内、外障子スライド溝を有する内、外障子用下枠凹部を下枠にそれぞれ設け、内、外障子が閉じた際に、内障子下框の底部と、下枠上面の間の隙間から内障子用下枠凹部に流入させた雨水が、当該内障子用下枠凹部をつたわって室内側に流れ込むのを防止するために、内障子召し合わせ部下部に位置する内障子用下枠凹部に下枠凹部止水ブロックを取り付け、当該下枠凹部止水ブロックの構成が下枠凹部とのシール面をスポンジ状の弾性体とし、内障子スライド片との摺接部をヒレ状の弾性体としたことを特徴とする屋外用下枠フラットサッシの下枠凹部止水装置。
【請求項３】
下枠凹部止水ブロックを、スポンジ状の弾性体の中央部にヒレ状の弾性体を挿入して形成し、内障子召し合わせ部下部に位置する内障子用下枠凹部に固定手段を用いて固定位置決めをしたことを特徴とする請求項１又は請求項２記載の屋外用下枠フラットサッシの下枠凹部止水装置。
【発明の詳細な説明】
【０００１】
【発明の属する技術分野】
本願発明は、建築物の屋外開口部に備えられた、下枠上面が略フラットに形成されその上を障子がスライド開閉するサッシ構造における下枠凹部の止水構造に関する。
【０００２】
【従来の技術】
建築物屋外開口部の引き違い障子からなるサッシ構造として、サッシ下枠の上面をフラットに形成したバリアフリー構造にすると、風圧とともに雨水が下枠上面に流れ込み、滞留しやすいので下枠の上面に条状の細い溝を設け、その下に排水用の下枠凹部を設け、この下枠凹部の底部に設けた排水口から雨水を屋外に排水する構造にし、障子が安定してスライド開閉でき、かつ、障子と下枠の間をシールするのに障子下框から垂下した障子スライド片を上記下枠上面の条状の細い溝に挿入した構造を、本願出願人がこれまで提案している。
このような下枠構造の場合には、内障子が左右に開閉出来るように、下枠ほぼ全長にわたって例えば、図２に示すように内障子スライド溝１１ｂを設け、その下に下枠凹部を設けることになる。
従って、内障子を閉じた際には、図２又は図３に示すように、内障子用下枠凹部は、室外から室内にかけて連通することになり、内障子下框の底部と下枠上面との隙間から下枠凹部に流れ込ませた雨水は、下枠凹部の底部に設けた下枠凹部排水口から排水されるとともに、この下枠凹部をつたわって室内側に雨水が流れ込んでくる恐れがあることになる。
【０００３】
この内障子用下枠凹部をつたわって、室内側に雨水が流れ込むのを防止するために本願出願人は、図１４に示すような下枠凹部の止水ブロック１８０構造を提案した（特願２００１−０１２５８７）。
上記先願技術は、図１４に示すように、下枠凹部の止水ブロックの弾性体全体をスポンジ状の弾性体１８０にて形成したので、下枠凹部を塞ぐのに適していて止水性には優れている。
しかし、スポンジ状の弾性体の上部は、内障子がスライドする際に、内障子スライド片に対してスポンジ状の弾性体がへこむように摺接するので障子の摺動抵抗が大きくなる場合があり、また、内障子スライド片が絶えず摺接するので、年月の経過とともにスポンジ状の弾性体が部分的にキズ付き、部分的にはがれ落ちる場合があることが分かってきた。
そこで、本願出願人は、かかる技術的課題を解決すべく本願改良発明に至ったものである。
【０００４】
【発明が解決しようとする課題】
本願発明は、上記実状に鑑みて、内障子のスライド抵抗が小さく、耐久性に優れ、止水性が良好な屋外用下枠フラットサッシの下枠凹部止水装置の提供を目的とする。
【０００５】
【課題を達成するための手段】
請求項１記載の発明による屋外用下枠フラットサッシの下枠凹部止水装置は、上下枠と左右縦枠と摺動障子とを備え、召し合わせ位置の下枠凹部に下枠凹部止水ブロックが取付けてあり、摺動障子は、下枠凹部に垂下するスライド片を有し、下枠凹部止水ブロックは、下枠凹部の内壁と密着するスポンジ状の弾性体と、摺動障子のスライド片と摺接するヒレ状の弾性体の二重構造からなることを特徴とする。
【０００６】
請求項２記載の発明による屋外用下枠フラットサッシの下枠凹部止水装置は、上下枠及び左右の縦枠にて構成され、下枠上面を略フラットに形成し、当該フラット面を戸車を介して、スライド開閉する引き違い障子の内、外障子下框側壁から、内、外障子スライド片を垂下し、内、外障子スライド片がスライドする内、外障子スライド溝を有する内、外障子用下枠凹部を下枠にそれぞれ設け、内、外障子が閉じた際に、内障子下框の底部と、下枠上面の間の隙間から内障子用下枠凹部に流入させた雨水が、当該内障子用下枠凹部をつたわって室内側に流れ込むのを防止するために、内障子召し合わせ部下部に位置する内障子用下枠凹部に下枠凹部止水ブロックを取り付け、当該下枠凹部止水ブロックの構成が下枠凹部とのシール面をスポンジ状の弾性体とし、内障子スライド片との摺接部をヒレ状の弾性体とした。請求項３記載の発明による屋外用下枠フラットサッシの下枠凹部止水装置は、請求項１又は２記載の発明の構成に加え、下枠凹部止水ブロックを、スポンジ状の弾性体の中央部にヒレ状の弾性体を挿入して形成し、内障子召し合わせ部下部に位置する内障子用下枠凹部に固定手段を用いて固定位置決めをしたことを特徴とする。
【０００７】
このように、下枠凹部とのシール面をスポンジ状の弾性体としたことにより、圧縮変形比率が高いので下枠凹部に組み付けやすく、下枠凹部の形状に容易に追随し、止水性が確保出来るとともに、内障子スライド片との摺接部をヒレ状の弾性体としたので障子のスライド方向に容易に曲がりやすく、摺動抵抗が小さくなるとともに耐久性に優れる。
【０００８】
【発明の実施の形態】
本願発明に係るサッシ構造の縦断面図を図１に、横断面図を図２に示す。図１及び図１３に示すように躯体にアンカー８にて取り付けられた下枠１０及び上枠４０と、図２に示すように左縦枠２０及び右縦枠３０のサッシにて枠体を形成し、その内側に屋外側から、外障子５０、内障子６０が装着されている。
下枠には従来のような突条のレールが無く、図１３に示すように、下枠上面に障子下框の障子スライド片のほぼ肉厚に相当する２条の溝が形成されたフラット面になっていて、マンション等のベランダと室内側との境界に段差が無くなり、室内フローリング床面、下枠の上面、グレーチングを介してバルコニーの床面がほぼ水平に配置されたバリアフリー構造になっている。
【０００９】
図１及び図２に示すように、外障子５０は外障子下框５１及び上框５５と、外障子戸当框５２及び外障子召合框５３にて枠を形成し、内側にガラス等が装着されている。
外障子下框５１の室内側には外障子スライド片５１ａが垂下されている。また、下框の下框凹部５１ｂには外障子戸車５４が取り付けられ、下枠１０の略フラットな上面１１を移動する。
【０００１０】
内障子６０も外障子と同様に、内障子下框６１及び上框６５と、内障子戸当框６２及び内障子召合框６３にて枠を形成し、内側にガラス等が装着されている。
内障子下框６１の室内側には内障子スライド片６１ａが垂下され、下框の下框凹部６１ｂには内障子戸車６４が取り付けられ下枠１０の略フラットな上面１１を移動する。
【００１１】
下枠１０には外障子及び内障子の下框に垂下した外障子スライド片５１ａ、内障子スライド片６１ａがスライドする外障子スライド溝１１ａ、内障子スライド溝１１ｂを有する外障子用下枠凹部１２ａ、内障子用下枠凹部１２ｂを設け、凹部の室内側側壁に外障子用横タイト材嵌合溝１３ａ、内障子用横タイト材嵌合溝１３ｂを設け、外障子用横タイト材１４ａ、内障子用横タイト材１４ｂを配設し、これらの横タイト材は障子のスライド片に摺接している。
【００１２】
下枠１０はアルミニウム合金等を用いて押出成形された枠部材１０ａ、１０ｂ、１０ｃを嵌合組み合わせて構成されている。
これにより、下枠フラット面の切り欠き加工、下枠凹部の排水口の加工及び下枠凹部止水ブロックの取付等が容易になっている。
【００１３】
図２に示すように、左縦枠２０の枠内側には外障子の戸当框を受ける左縦枠凹部２１が設けられ、この左縦枠凹部室内側側壁に左縦枠縦タイト材嵌合溝２２を設け左縦枠縦タイト材２３が配設されている。
右縦枠３０の内側にも外障子の場合と同様に、内障子の戸当框を受ける右縦枠凹部３１が設けられ、このに右縦枠凹部の室内側側壁に右縦枠縦タイト材嵌合溝３２を設け、右縦枠縦タイト材３３が配設されている。
【００１４】
召し合わせ部においては図２に示すように、外障子５０の外障子召合框５３及び内障子６０の内障子召合框６３に設けた外障子突き合わせ片５３ａと内障子突き合わせ片６３ａが障子閉鎖時に当接し、内障子召し合わせ部に設けた召合框タイト材嵌合溝６３ｂに、召合框タイト材６６が取り付けられ外障子側面と摺接している。
なお、この召合框タイト材は気密性、水密性が確保されれば良く、外障子側に設けても良い。
【００１５】
また、図４に示すように下枠にフラット面排水口１５、左コーナー部排水口１６ａ、右コーナー部排水口１６ｂ、外障子用下枠凹部排水口１７ａ、内障子用下枠凹部排水口１７ｂ及び下枠屋外排水口１８が設けられていて、（ロ）が障子召合わせ部、（イ）及び（ハ）がコーナー部の斜視図である。
なお、フラット面排水口の位置は上記内障子と外障子の召し合わせ部に限定されるものでなく、下枠フラット面に等間隔に複数個設けてもよく、また召合框止水ブロックの位置に関係なく設けてもよいが、特に召し合わせ部に雨水が集中しやすく、この部分に排水口を設けると外部から見えず外観見栄えも良いため、本実施の形態ではこの召し合わせ部分に設けたものである。
また、下枠屋外排水口１８の外側には排水口を覆うように逆風、逆水止め部材１９が上部で枢着されている。
【００１６】
フラット面排水口に対応する内障子召合框の底部には図５に示すように、召合框止水ブロック７０がビス等の召合框止水ブロック係止部材７５にて取り付けられている。
召合框止水ブロック７０には召合框止水ブロックベース部材７３に弾性材からなるヒレ状のウオーターバリア７１とヒレ状のウインドバリア７２が設けれていて下枠上面及び外障子室内側側面に当接するように配設されている。
ウオーターバリアにて風圧を伴う雨水の流れが抑えられ、ウインドバリアにて気密性が確保されているので空気の室内への侵入が遮断され、その間に設けられたフラット面排水口に雨水が流し込まれる。
【００１７】
内障子用下枠凹部の内、外障子召し合わせ部には、図２及び図３に示すように内障子の止水ライン線上で、かつ、内障子と外障子の召し合わせ部位置にほぼ対応させて内障子用下枠凹部に内障子用下枠凹部形状を塞ぐように弾性体からなる下枠凹部止水ブロック８０が設けられていて内障子の下枠凹部に沿って外障子室内側に雨水が流れ込むのを防止している。
この下枠凹部止水ブロック８０はその斜視図を図９に示し、構成部品を分解した状態を図１０に示すように、下枠凹部の内壁と密着してシールするスポンジ状の弾性体８１の中央部に、ヒレ状の弾性体取付止孔８１ａを設けて、芯体８２を挿入し、接着剤等で固定されている。
芯体８２の上部には、ヒレ状の弾性体８３が形成され、下部には下枠凹部への取り付けピン部８４が形成されている。
【００１８】
このように構成された下枠凹部止水ブロック８０の下枠凹部１２ｂへの取り付け例を図１１に示す。
下枠凹部１２ｂの底部に設けた下枠凹部止水ブロック取り付け孔８５に上記ブロックのピン部８４を差し込むようにして上部の開口部から挿入する。
この際に、下枠凹部の側壁に横タイト材嵌合溝等の突起物があってもスポンジ状の弾性体８１の外形が容易に変形し、挿入後には外形が元に戻ろうとして下枠凹部の内壁に密着し、シールされる。
【００１９】
また、この下枠凹部止水ブロックの上部にヒレ状の弾性体８３が設けられていて図７（イ）に側面図、図８（ロ）に上面図、図８（ハ）に正面図をそれぞれ示すように、内障子下框６１の側壁から垂下された内障子スライド片６１ａが開閉する際に摺接することになるが、ヒレ状形状の弾性体になっているので、内障子スライド片の摺動方向に容易に曲がり変形し、従来のスポンジ状の弾性体当たりと比較して摺動抵抗が非常に小さくなり、かつ、複数のヒレが重なり合うことになり、止水性にも優れる。
従って、一つ一つのヒレ部自体に切れ目を入れて、８３ａ、８３ｂ、８３ｃのように分割するとより曲がりやすい。
また、下枠凹部止水ブロックの取り付け方法としては、図１２（イ）上面図、図１２（ロ）正面図を示すように、ブロックの両側に取り付け片８６を設けて、ビス等の取り付け部材８７にて下枠凹部に固定してもよく、また、耐水性の接着剤を用いて固定してもよい。
【００２０】
以上のような部品構成による引き違い障子のシール構造を次に説明する。
図６に、内、外障子の召し合わせ部のシール構造を示し、（ａ）が平面図で（ｂ）が側面図である。
下枠凹部止水ブロック８０は、内障子が閉じた際に内障子召合框底部に取り付けた召合框止水ブロック７０の垂下部（内障子スライド片）と当接し、内、外障子召し合わせ部と下枠上面との隙間を上記召合框止水ブロックのウオーターバリア７１及びウインドバリア７２が塞いでいる。
その結果、図３に示すように、外障子スライド片５１ａと外障子用横タイト材１４ａで止水ライン（Ａ）を形成し、内障子スライド片６１ａと内障子用横タイト材１４ｂで止水ライン（Ｂ）を形成し、この止水ライン（Ａ）と止水ライン（Ｂ）を召合框止水ブロック７０が止水ライン（Ｃ）を形成して連続的に繋ぐとともに、内障子召し合わせ部下部の内障子用下枠凹部１２ｂに下枠凹部止水ブロックを取り付けて、内障子の下枠凹部をつたわって室内側に雨水が浸入してくるのを防ぐことになる。
【００２１】
【発明の効果】
本願発明においては、下枠凹部止水ブロックの外形（下枠凹部内壁との当接面）をスポンジ状の弾性体としたので圧縮変形比率が高く、下枠凹部への取り付け性が良く、下枠凹部の形状に追随しやすいので、止水性に優れ、下枠凹部止水ブロックの内障子のスライド片への摺接部をヒレ形状の弾性体としたので、内障子のスライド方向に曲がりやすいので摺動抵抗が小さく、しかも、複数のヒレが重なり合うので止水性にも優れ、かつ、耐久性が良い。
また、内障子用下枠凹部にピン止め、ビス止め、接着剤等を用いてこの下枠凹部止水ブロックを固定したので、内障子の開閉に伴う左右へのズレを確実に防止できる。
【図面の簡単な説明】
【図１】本発明に係る下枠凹部止水構造を適用したサッシ構造の縦断面を示す。
【図２】本発明に係る下枠凹部止水構造を適用したサッシ構造の横断面を示す。
【図３】止水ラインの関係を示す。
【図４】排水口の配置図を示す。
【図５】召し合わせ部の止水構造を示す。
【図６】下枠凹部止水ブロックの位置関係を示す。
【図７】下枠凹部止水ブロックの取り付け（イ）側面図を示す。
【図８】下枠凹部止水ブロックの取り付け（ロ）上面図、（ハ）正面図を示す。
【図９】下枠凹部止水ブロックの斜視図を示す。
【図１０】下枠凹部止水ブロックの分解図を示す。
【図１１】下枠凹部止水ブロックの下枠凹部への取り付け例を示す。
【図１２】他の下枠凹部止水ブロックの取り付け例を示す。
【図１３】屋外開口部の断面図を示す。
【図１４】従来の下枠凹部止水ブロックの例を示す。
【符号の説明】
８    アンカー
１０  下枠
１０ａ、１０ｂ、１０ｃ 下枠部材
１１    フラット面（上面）
１１ａ  外障子スライド溝          １１ｂ  内障子スライド溝
１２ａ  外障子用下枠凹部          １２ｂ  内障子用下枠凹部
１３ａ  外障子用横タイト材嵌合溝  １３ｂ  内障子用横タイト材嵌合溝
１４ａ  外障子用横タイト材        １４ｂ  内障子用横タイト材
１５    フラット面排水口
１６ａ  左コーナー部排水口        １６ｂ  右コーナー部排水口
１７ａ  外障子用下枠凹部排水口    １７ｂ  内障子用下枠凹部排水口
１８    下枠屋外排水口
１９    逆水止め部材
２０    左縦枠                      ３０    右縦枠
２１    左縦枠凹部                  ３１    右縦枠凹部
２２    左縦枠縦タイト材嵌合溝      ３２    右縦枠縦タイト材嵌合溝
２３    左縦枠縦タイト材            ３３    右縦枠縦タイト材
４０    上枠
５０    外障子                      ６０    内障子
５１    外障子下框                  ６１    内障子下框
５１ａ  外障子スライド片            ６１ａ  内障子スライド片
５１ｂ  外障子下框凹部              ６１ｂ  内障子下框凹部
５２    外障子戸当框                ６２    内障子戸当框
５３    外障子召合框                ６３    内障子召合框
５３ａ  外障子突き合わせ片          ６３ａ  内障子突き合わせ片
６３ｂ  召合框タイト材嵌合溝
５４    外障子戸車                  ６４    内障子戸車
５５    外障子上框                  ６５    内障子上框
６６    召合框タイト材
７０    召合框止水ブロック
７１    ウオーターバリア
７２    ウインドバリア
７３    召合框止水ブロックベース部材
７４    召合框止水ブロック垂直片
７５    召合框止水ブロック係止部材
８０    下枠凹部の止水ブロック
８１    止水ブロック弾性体
８１ａ  ヒレ状の弾性体取付止孔
８２    芯体
８３    ヒレ状の弾性体
８３ａ、８３ｂ、８３ｃ  分割されたヒレ状の弾性体
８４    下枠凹部への取り付けピン部
８５    下枠凹部止水ブロック取り付け孔
８６    下枠凹部止水ブロック取り付け片
８７    下枠凹部止水ブロックの取り付け部材
【図１】
0004622176.tif 000002
【図２】
0004622176.tif 000003
【図３】
0004622176.tif 000004
【図４】
0004622176.tif 000005
【図５】
0004622176.tif 000006
【図６】
0004622176.tif 000007
【図７】
0004622176.tif 000008
【図８】
0004622176.tif 000009
【図９】
0004622176.tif 000010
【図１０】
0004622176.tif 000011
【図１１】
0004622176.tif 000012
【図１２】
0004622176.tif 000013
【図１３】
0004622176.tif 000014
【図１４】
0004622176.tif 000015